(57)【要約】【課題】  サランネット等の目隠し部材を用いることなく、スピーカを目立たなくし、かつ放音される音声情報の音質低下を防止する表示装置を提供する。【解決手段】  本体筐体１０と、この本体筐体１０に取り付けられるスピーカ部３００とを備え、スピーカ部３００は、スピーカ配置部１３０と、スピーカ配置部１３０を覆うスピーカパネル１３２と、スピーカ配置部１３０とスピーカパネル１３２との間に形成された内部空間とを備え、スピーカ配置部１３０は、その前面に本体筐体１０の左右方向に沿って形成された複数の突起部１３５を備え、スピーカ配置部１３０の前面は、隣り合う前記複数の突起部１３５の間に形成され、前記内部空間の暗さを維持する空間１３９を備えるようにする。【選択図】  図２
2011193069.tif 000002
【特許請求の範囲】
【請求項１】
内部に表示ユニットと電子素子を備えた本体筐体と、内部にスピーカユニットを備え、前記本体筐体に取り付けられるスピーカ部とを備えた表示装置において、
前記スピーカ部は、前記スピーカユニットのスピーカが配置されるスピーカ配置部と、前記スピーカ配置部を覆うスピーカパネルと、前記スピーカ配置部と前記スピーカパネルとの間に形成された内部空間とを備え、
前記スピーカ配置部は、その前面に前記本体筐体の左右方向に沿って形成された複数の突起部を備え、
前記スピーカ配置部の前面は、隣り合う前記複数の突起部の間に形成され、前記内部空間の暗さを維持する空間を備えていることを特徴とする表示装置。
【請求項２】
請求項１に記載の表示装置において、
前記複数の突起部は、前記本体筐体の前面に対して垂直に形成された第１の面と、前記本体筐体の後方下側に傾斜して形成された第２の面とをそれぞれ備え、
前記空間は、上方の突起部に形成された前記第２の面と、下方の突起部に形成された前記第１の面との間に形成されることを特徴とする表示装置。
【請求項３】
請求項１に記載の表示装置において、
前記複数の突起部は、前記本体筐体の前面に対して垂直に形成された第１の面と、前記第１の面の下方で円弧状に形成された第２の面とをそれぞれ備え、
前記空間は、上方の突起部に形成された前記第２の面と、下方の突起部に形成された前記第１の面との間に形成されることを特徴とする表示装置。
【請求項４】
請求項２または請求項３に記載の表示装置において、
前記複数の突起部は、前記第１の面と前記第２の面を連続させ、前記本体筐体の前面に対して平行に形成された壁面をそれぞれ備えていることを特徴とする表示装置。
【発明の詳細な説明】
【技術分野】
【０００１】
本発明は、液晶ディスプレイやプラズマディスプレイ等の薄型の表示装置、特に、本体筐体の内部に液晶ディスプレイユニットやプラズマディスプレイユニット、ＬＥＤバックライトユニット等の表示ユニットを備えた薄型の表示装置に関するものである。
【背景技術】
【０００２】
近年、本体筐体の内部に薄型の表示ユニットを備えた表示装置、例えば、本体筐体の内部に液晶ディスプレイユニットが配置された液晶テレビや、本体筐体の内部にプラズマディスプレイユニットが配置されたプラズマテレビなど、薄型の表示装置が脚光を浴びている。
【０００３】
このような薄型の表示装置は、前面に表示画面が配置された本体筐体と、本体筐体に形成されたスピーカ部とを備えた構成が一般的であり、表示画面の下方にスピーカ部を配置したボトムスピーカ型の表示装置や、表示画面の左右両側にスピーカ部を配置したサイドスピーカ型の表示装置が知られている。特に、近年の液晶テレビやプラズマテレビにおいては、ボトムスピーカ型が主流となっている。
【０００４】
このボトムスピーカ型の液晶テレビやプラズマテレビにおいては、スピーカ部と本体筐体を一体に形成したスピーカ一体型や、本体筐体に対してスピーカ部を着脱可能に設けたスピーカ分離型のものが知られている。特に、近年のボトムスピーカ型の液晶テレビやプラズマテレビにおいては、スピーカ一体型のものが多く見受けられる。
【０００５】
このようなスピーカ一体型の薄型の表示装置は、表示画面が露出する開口部を有するロ字状の枠体と、この枠体の下方に枠体と一体に形成されたスピーカ配置部とで本体筐体の前面を構成している。
【０００６】
スピーカ配置部は、前面に形成された平坦部と、この平坦部に形成された開口部とを備えている。そして、開口部にスピーカを配置するとともに、スピーカ配置部を覆うようにスピーカパネルを取り付けることで、スピーカ部を構成している。また、スピーカパネルは、多数の小穴からなる放音穴を備えている。
【０００７】
上述した従来の薄型の表示装置においては、外部からの光、例えば、薄型の表示装置に外部からの光が照射されると、薄型の表示装置の前面に光が当たるとともに、光の一部が放音穴を通してスピーカ部の内部空間に入射される。
【０００８】
入射された光は、スピーカが配置される開口部（暗い部分）と、スピーカが配置されていない平坦部（明るい部分）に照射される。このため、スピーカ配置部の開口部（暗い部分）と平坦部（明るい部分）の間に明度差が生じ、放音穴を通して開口部の輪郭が見えてしまう。
【０００９】
このため、従来の薄型の表示装置においては、外部からスピーカが配置された開口部の輪郭を目立たなくする方法として、スピーカパネルの前面にサランネット等の目隠し部材を貼り付けたり（特許文献１）、スピーカパネルとスピーカ配置面との間にサランネット等の目隠し部材を配置したりすることが知られている。
【先行技術文献】
【特許文献】
【００１０】
【特許文献１】特開２００８−１６７３３７号公報
【発明の概要】
【発明が解決しようとする課題】
【００１１】
上述したように、従来の液晶テレビやプラズマテレビなどの薄型の表示装置においては、スピーカパネルの前面にサランネット等の目隠し部材を貼り付けたり、スピーカパネルとスピーカ配置面との間にサランネット等の目隠し部材を配置している。このため、この目隠し部材によりスピーカから放音される音声がこもってしまうことがあり、放音穴を通してスピーカから放音される音声情報の音質が低下する可能性がある。また、サランネット等の目隠し部材を使用することにより、部品点数や工数が増え、コストが上がる可能性がある。
【００１２】
そこで、本発明は、サランネット等の目隠し部材を用いることなく、外部から光が照射した場合でもスピーカが配置された開口部の輪郭を外部から目立たなくし、かつ放音穴を通してスピーカから放音される音声情報の音質が低下するのを防止する薄型の表示装置を提供することにある。
【課題を解決するための手段】
【００１３】
前記目的を達成するために、本発明に係る表示装置は、内部に表示ユニットと電子素子を備えた本体筐体と、内部にスピーカユニットを備え、前記本体筐体に取り付けられるスピーカ部とを備えた表示装置において、前記スピーカ部は、前記スピーカユニットのスピーカが配置されるスピーカ配置部と、前記スピーカ配置部を覆うスピーカパネルと、前記スピーカ配置部と前記スピーカパネルとの間に形成された内部空間とを備え、前記スピーカ配置部は、その前面に前記本体筐体の左右方向に沿って形成された複数の突起部を備え、前記スピーカ配置部の前面は、隣り合う前記複数の突起部の間に形成され、前記内部空間の暗さを維持する空間を備えるようにする。
【発明の効果】
【００１４】
本発明によれば、液晶テレビやプラズマテレビ等の薄型の表示装置に外部からの光が照射した際に、スピーカ配置部からの反射光が少なく、スピーカ部の内部空間が全体的に暗くなるので、サランネット等の目隠し部材を用いることなくスピーカが配置された開口部の輪郭を外部から目立たなくすることができる。また、サランネット等の目隠し部材を用いる必要がないので、部品点数や工数、コストを削減することが可能となり、かつ放音穴を通してスピーカから放音される音声情報の音質低下を防止することが可能となる。
【図面の簡単な説明】
【００１５】
【図１】本発明の第１実施例にかかるテレビジョン受像機の外観図である。
【図２】本発明の第１実施例に係るスピーカ部の部分拡大図である。
【図３】反射光による視覚効果を説明する図である。
【図４】本発明の第２実施例に係るスピーカ部の部分拡大図である。
【図５】本発明の第３実施例に係るスピーカ部の部分拡大図である。
【図６】本発明の第４実施例に係るスピーカ部の部分拡大図である。
【発明を実施するための形態】
【００１６】
以下、図１から図６を参照して、本発明に係る表示装置について、液晶テレビを事例として説明する。ここで、図１から図３が第１実施例に係る液晶テレビ、図４が第２実施例、図５が第３実施例、図６が第４実施例を示している。また、説明に当たり、同一部位や機能部材については同一符号もって示し、重複した説明を省略する。
【実施例１】
【００１７】
図１から図３を参照して、第１実施例に係る液晶テレビを説明する。図１は、第１実施例に係る液晶テレビの外観図である。図２は、第１実施例に係る液晶テレビのスピーカ部の部分拡大図であり、図２（ａ）が部分拡大斜視図、図２（ｂ）が部分拡大右側面図、図２（ｃ）がスピーカ配置面の部分拡大図である。図３は、反射光による視覚効果を説明する図であり、図３（ａ）が従来の液晶テレビのスピーカ部の部分拡大図、図３（ｂ）が従来の液晶テレビのスピーカ部の部分拡大正面図、図３（ｃ）が第１実施例に係る液晶テレビのスピーカ部の部分拡大図、図３（ｄ）が第１実施例に係る液晶テレビのスピーカ部の部分拡大正面図である。
【００１８】
先ず、図１および図２を参照して、第１実施例に係る液晶テレビの概略構造を説明する。図１において、符号１で総括的に示す液晶テレビは、前面を構成するフロントカバー１００と、背面を構成するバックカバー２００と、スピーカ部３００とを備えた本体筐体１０と、この本体筐体１０を支持するスタンド部４００とから構成されている。
【００１９】
液晶テレビ１は、フロントカバー１００の裏面に配置される図示しない表示ユニットと、この表示ユニットの下方に配置される図示しないスピーカユニットと、表示ユニットの後方に配置されたメイン基板やチューナー等の電子素子とを備えている。そして、これらの表示ユニットやスピーカユニット、電子素子等をフロントカバー１００とバックカバー２００とで覆い、フロントカバー１００とバックカバー２００をねじ止めすることにより、表示ユニットやスピーカユニット、電子素子等を内蔵した液晶テレビ１の本体筐体１０を構成している。
【００２０】
フロントカバー１００は、開口部１１０を有するロ字状の枠体１２０と、このロ字状の枠体１２０の下方に位置し、ロ字状の枠体１２０と一体に形成されたスピーカ配置部１３０（図２参照）とを備えている。また、バックカバー２００は、図示しない放熱穴を備えており、この放熱穴を介して表示ユニットや電子素子等から発せられた熱を外部へ放出するようになっている。
【００２１】
表示ユニットは、図示しないシャーシに固定された液晶パネル（図示省略）と、この液晶パネルの前面に配置され、取付具によりシャーシに固定されたフィルター（図示省略）とを備え、この液晶パネルとフィルターにより表示画面１４０が構成されている。そして、表示ユニットは、表示画面１４０が開口部１１０から露出するように、フロントカバー１００の裏面に配置されるようになっている。
【００２２】
スピーカ部３００は、一対のスピーカ（図示省略）を有するスピーカユニット（図示省略）と、このスピーカユニットが取り付けられるスピーカ配置部１３０と、スピーカ配置部１３０を覆うように配置されたスピーカパネル１３２とから構成されている。また、スピーカ部３００は、スピーカ配置部１３０の前面とスピーカパネル１３２の裏面との間に形成された内部空間１５０（図２参照）を備えている。
【００２３】
スピーカ配置部１３０は、前面の左右両側に形成された一対の開口部１３１を備え、この一対の開口部１３１から一対のスピーカが露出するようにスピーカユニットがスピーカ配置部１３０の裏面に取り付けられている。そして、スピーカユニットが取り付けられたスピーカ配置部１３０の前面を覆うようにスピーカパネル１３２を取り付けることで、表示画面１４０の下方にスピーカ部３００が配置された形態、即ち、ボトムスピーカ型の液晶テレビ１を構成している。
【００２４】
スタンド部４００は、本体筐体１０と接続される接続部４１０と、この接続部４１０を介して本体筐体１０を支持するベース部４２０とから構成されている。接続部４１０は、本体筐体１０の底面に着脱可能に設けられており、接続部４１０を介して本体筐体１０にスタンド部４００を取り付けた状態では、机上等に設置することができ、スタンド部４００を取り外した状態では壁面等に設置できるようになっている。
【００２５】
スピーカ配置部１３０の前面は、本体筐体１０の長手方向（左右方向）に沿って形成された複数の横長の突起部１３５を備えている。この複数の横長の突起部１３５は、それぞれ本体筐体１０の前面に対して垂直に形成された第１の面（水平面）１３６と、第１の面１３６よりも下側で、第１の面１３６に対してバックカバー１２０側に傾斜角θで傾斜した第２の面（傾斜面）１３７で形成された略三角形状の外観を備えている。また、複数の横長の突起部１３５は、それぞれ高さｈ、奥行ｄの大きさを備えている。この実施例では、突起部１３５の高さｈを約１．３ｍｍ、奥行ｄを約２ｍｍ、第１の面１３６に対する第２の面１３７の傾斜角θを４５°としている。そして、この複数の横長の突起部１３５を、スピーカ配置部１３０の前面に所定の間隔で配置することで、前面が鋸歯形状のスピーカ配置部１３０を構成している。
【００２６】
この実施例では、複数の横長の突起部１３５が配置されたスピーカ配置部１３０の前面に空間を設けた構成、即ち、複数の横長の突起部１３５が形成されたスピーカ配置部１３０の前面において、隣り合う複数の横長の突起部１３５の間に空間１３９（影となる部分）を形成した構成に特徴を有している。具体的には、複数の横長の突起部１３５が形成されたスピーカ配置部１３０の前面において、上方に配置された突起部１３５の第２の面１３７と、下方に配置された突起部１３５の第１の面１３６との間に、スピーカ配置部１３０の前面を暗くするための空間、即ち、スピーカ部３００の内部空間１５０を暗くするための空間１３９を形成した構成にある。
【００２７】
このような構成とすることにより、放音穴１３２ａを通してスピーカ部３００の内部空間１５０に照射された光の大部分が空間１３９で減衰するので、スピーカ配置面１３０からの反射光が少なく、スピーカ配置部１３０の前面が暗くなり、スピーカ部３００の内部空間１５０の暗さを維持することができる。よって、液晶テレビ１に外部から光が照射された状態でも、スピーカ（開口部１３１）の輪郭を外部から目立たなくすることができる。
【００２８】
次に、図３を参照して、反射光による視覚効果について説明する。液晶テレビ１に外部からの光、例えば、室内の電灯（蛍光灯）などの光が当たっていない状態では、スピーカ部３００の内部空間１５０が暗いので、外部からはスピーカ（開口部１３１）の輪郭が見えない。
【００２９】
この状態で、例えば、液晶テレビ１が設置された室内の電灯（蛍光灯）を点灯させると、図３（ａ）および図３（ｃ）で示すように、液晶テレビ１に対して、斜め上方から蛍光灯の光が照射される。この蛍光灯の光は、液晶テレビ１の前面全体に照射されるとともに、その一部が放音穴１３２ａを通してスピーカ部３００の内部空間１５０に照射される。
【００３０】
ここで、従来の液晶テレビでは、例えば、図３（ａ）および図３（ｂ）で示すように、スピーカ配置面１３０が、面積の大きな平坦面１３０ａと、この平坦面１３０ａに形成された開口部１３１を備えた構成が一般的である。
【００３１】
このため、従来の液晶テレビでは、放音穴１３２ａを通してスピーカ部３００の内部空間１５０に斜め上方から入射された光が、平坦面１３０ａに当たって入射角と同じ角度で反射する光（反射光）と、開口部１３１を透過し、開口部１３１の奥に配置されたスピーカに当たって減衰する光（透過光）に分かれ、上述したように、反射光により明るくなる平坦面１３０ａと、透過光により暗くなる開口部１３１との間に明度差が生じる。
【００３２】
即ち、スピーカ部３００に外部から光が入射することにより、スピーカパネル１３２の裏面とスピーカ配置面１３０との間に形成される内部空間（スピーカ部３００の内部空間１５０）に明度差が生じ、この明度差により放音穴１３２ａを通して開口部１３１の輪郭が見えてしまう。
【００３３】
従って、従来の液晶テレビにおいては、上述したように、外部から光が当たった際、スピーカ（開口部１３１）の輪郭が見えないようにするため、スピーカパネル１３２の前面、あるいは、スピーカ部３００の内部空間１５０にサランネット等の目隠し部材を設ける必要がある。
【００３４】
これに対し、この実施例に係る液晶テレビ１は、図３（ｃ）で示すように、放音穴１３２ａを通してスピーカ部３００の内部空間１５０に斜め上方から入射された光は、スピーカ配置部１３０の前面に形成された複数の突起部１３５と開口部１３１、即ち、複数の第１の面１３６と複数の第２の面１３７およびスピーカに照射される。
【００３５】
ここで、第１の面１３６と第２の面１３７は、直接連続して形成されるのが望ましいが、この実施例では、第１の面１３６と第２の面１３７を壁面１３８（図２参照）で連続させている。この壁面１３８は、約０．１ｍｍ程度のわずかな大きさであり、この壁面１３８の有無による影響はほとんどない。
【００３６】
複数の突起部１３５に照射された光は、その一部が壁面１３８に当たり、反射光として入射角と同じ角度で反射するが、そのほとんどは第１の面１３６と第２の面１３７に当たって乱反射し、空間１３９で減衰してしまう。また、開口部１３１を通して照射された光は、従来の液晶テレビと同様、開口部１３１の奥に配置されたスピーカに当たって減衰し、開口部１３１を暗くする。
【００３７】
つまり、この実施例の液晶テレビ１では、壁面１３８からの反射光よりも、開口部１３１の奥に配置されたスピーカに当たって減衰する光と空間１３９で減衰する光の方が大きいので、外部からスピーカ部３００に光が入射しても、スピーカ配置面１３０と開口部１３１は暗いままとなり、スピーカ部３００の内部空間１５０の暗さを維持することができる。従って、液晶テレビ１に外部から光が照射されても、スピーカ配置面１３０と開口部１３１との明度差をなくすことができるので、図３（ｄ）で示すように、サランネット等の目隠し部材を用いることなく、開口部１３１の輪郭を外部から目立たなくすることができる。
【００３８】
以上のように、この第１実施例によれば、スピーカパネル１３２の前面にサランネット等の目隠し部材を貼り付けたり、スピーカパネル１３２に裏面とスピーカ配置部１３０との間、即ち、スピーカ部３００の内部空間１５０にサランネット等の目隠し部材を用いる必要が無いので、コストや工数を減らすことができる。しかも、スピーカからの音声情報を、放音穴１３２ａを通して直接放音するので、音声情報の音質を向上させることができる。
【００３９】
なお、上述した実施例では、スピーカ配置部１３０の前面を暗くすることにより、スピーカ部３００の内部空間１５０の暗さを維持するようにしているが、スピーカ配置部１３０の前面を暗くすることと併せ、内部空間１５０の大きさ（奥行ｄ１、図２参照）を調整することにより、その暗さを維持するようにしてもよい。
【００４０】
スピーカ部３００の内部空間１５０は、その奥行ｄ１が大きいほど、スピーカパネル１３２の裏面とスピーカ配置面１３０との距離が大きくなる。このため、距離が大きい状態で外部から光が入射された際には、スピーカ配置部１３０の前面に照射される光が少なくなるので、スピーカ配置部１３０の前面からの反射光も少なく、内部空間１５０の暗さを維持することができる。
【００４１】
内部空間１５０を大きくする方法として、スピーカパネル１３２を前方へ突出させるか、あるいは、枠体１２０と一体形成されたスピーカ配置部１３０を後方へ引っ込めることが考えられる。しかしながら、上述したような方法で内部空間１５０を大きくすると、本体筐体１０が全体的に厚くなってしまう。
【００４２】
一方、スピーカパネル１３２の裏面とスピーカ配置面１３０との距離を小さくすると、本体筐体１０を薄くすることは可能となるが、上述したように、サランネット等の目隠し部材を内部空間１５０に設ける必要がある。
【００４３】
そこで、この実施例では、スピーカ部３００の内部空間１５０が、第１の面１３６と第２の面１３７を有する複数の突起部１３５が形成されたスピーカ配置部１３０の前面と、スピーカパネル１３２の裏面との間に形成される内部空間１５０の大きさにより、その暗さを維持できるような奥行ｄ１を備えるように構成している。
【００４４】
このような構成とすることで、本体筐体１０の厚さを変えず、かつ目隠し部材を用いることなく、スピーカ部３００の内部空間１５０の暗さも維持することができる。なお、この実施例では、奥行ｄ１を約２ｍｍとしている。
【実施例２】
【００４５】
次に、図４を参照して、第２実施例に係る液晶テレビを説明する。図４は、第２実施例に係るスピーカ部の概略拡大図である。
【００４６】
図４において、この実施例では、スピーカ配置部１３０の前面に形成される横長の突起部１３５ａが、本体筐体１０の前面に対して垂直に形成された第１の面（水平面）１３６と、第１の面１３６よりも下側で円弧状に形成された第２の面１３７ａで構成された外観形状を備えている。そして、この横長の突起部１３５を、スピーカ配置部１３０の前面に所定の間隔ｈで複数本設けることで、前面が波形形状のスピーカ配置部１３０を構成している。ここで、第１の面１３６と第２の面１３７ａは、直接連続させることが望ましいが、この実施例では、上述した第１実施例と同様、大きさが約０．１ｍｍの壁面１３８で連続させている。
【００４７】
また、この実施例では、上述した第１実施例と同様、隣り合う突起部１３５の間には、上方に配置された突起部１３５ａの第２の面１３７ａと、下方に配置された突起部１３５ａの第１の面１３６との間に、スピーカ部３００の内部空間１５０を暗くするための空間１３９を形成している。このような構成とすることで、第１実施例と同様の効果を得ることができる。なお、この実施例では、所定の間隔ｈを約１．３ｍｍとしている。
【実施例３】
【００４８】
次に、図５を参照して、第３実施例に係る液晶テレビを説明する。図５は、第３実施例に係るスピーカ部の概略拡大図である。
【００４９】
図５において、この実施形態では、スピーカ配置部１３０の前面に形成される横長の突起部１３５ｂが、本体筐体１０の前面に対して垂直に形成された第１の面（水平面）１３６と、第１の面１３６よりも下側で、第１の面１３６に対してバックカバー１２０側に傾斜した第２の面（傾斜面）１３７と、本体筐体１０の前面に対して平行に形成され、第１の面１３６と第２の面１３７を連続させる壁面１３８ｂで形成された略台形状の外観を備えている。そして、この横長の突起部１３５ｂを、スピーカ配置部１３０の前面に所定の間隔ｈで複数本設けることにより、上述した第１実施例と同様、前面が鋸歯形状のスピーカ配置部１３０を構成している。
【００５０】
また、隣り合う突起部１３５ｂの間には、上方に配置された突起部１３５ｂの第２の面１３７と、下方に配置された突起部１３５ｂの第１の面１３６を連続させる壁面１３８ｃが設けられ、この壁面１３８ｃと第１の面１３６と第２の面１３７により空間１３９を形成している。このような構成とすることで、第１実施例と同様の効果を得ることができる。なお、この実施例では、所定の間隔ｈを約１．３ｍｍとしている。
【実施例４】
【００５１】
次に、図６を参照して、第４実施例に係る液晶テレビを説明する。図６は、第４実施例に係るスピーカ部の概略拡大図である。
【００５２】
図６において、この実施例では、スピーカ配置部１３０の前面に形成される横長の突起部１３５ｃが、本体筐体１０の前面に対して垂直に形成された第１の面（水平面）１３６と、第１の面１３６と対向して形成された第２の面（水平面）１３７ｃと、第１の面１３６と第２の面１３７ｃを連続させる垂直な壁面１３８ｄで形成された細い帯状の外観を備えている。そして、この横長の突起部１３５ｃを、スピーカ配置部１３０の前面に所定の間隔ｈで複数本設けることで、前面が凹凸形状のスピーカ配置部１３０を構成している。
【００５３】
また、隣り合う突起部１３５ｃの間には、上方に配置された突起部１３５ｃの第２の面１３７ｃと、下方に配置された突起部１３５ｃの第１の面１３６を連続させる壁面１３８ｃが設けられ、この壁面１３８ｃと第１の面１３６と第２の面１３７ｃにより空間１３９を形成している。このような構成とすることで、第１実施例と同様の効果を得ることができる。なお、この実施例では、所定の間隔ｈを約１．３ｍｍとしている。
【００５４】
上述した各実施例では、液晶テレビを事例に説明したが、本発明は、プラズマテレビやその他の表示装置、例えば、有機ＥＬやＬＥＤバックライトユニットを備えた表示装置、パソコン用モニタ装置等にも適用することができる。
【００５５】
また、上述した各実施例では、ボトムスピーカ型の表示装置を事例に説明したが、サイドスピーカ型の表示装置にも適用することができる。
【００５６】
さらに、上述した各実施例では、スピーカ一体型の表示装置を事例に説明したが、スピーカ分離型の表示装置にも適用することができる。
【００５７】
以上述べたように、この実施例に係る表示装置は、内部に表示ユニットと電子素子を備えた本体筐体と、内部にスピーカユニットを備え、前記本体筐体に取り付けられるスピーカ部とを備えた表示装置であって、前記スピーカ部は、前記スピーカユニットのスピーカが配置されるスピーカ配置部と、前記スピーカ配置部を覆うスピーカパネルと、前記スピーカ配置部と前記スピーカパネルとの間に形成された内部空間とを備え、前記スピーカ配置部は、その前面に前記本体筐体の左右方向に沿って形成された複数の突起部を備え、前記スピーカ配置部の前面は、隣り合う前記複数の突起部の間に形成され、前記内部空間の暗さを維持する空間を備えるようにする。
【００５８】
上記表示装置においては、以下の展開が図れる。即ち、前記複数の突起部は、前記本体筐体の前面に対して垂直に形成された第１の面と、前記本体筐体の後方下側に傾斜して形成された第２の面とをそれぞれ備え、前記空間は、上方の突起部に形成された前記第２の面と、下方の突起部に形成された前記第１の面との間に形成されるようにする。
【００５９】
また、この場合、前記複数の突起部は、前記本体筐体の前面に対して垂直に形成された第１の面と、前記第１の面の下方で円弧状に形成された第２の面とをそれぞれ備え、前記空間は、上方の突起部に形成された前記第２の面と、下方の突起部に形成された前記第１の面との間に形成されるようにする。
【００６０】
また更に、前記複数の突起部は、前記第１の面と前記第２の面を連続させ、前記本体筐体の前面に対して平行に形成された壁面をそれぞれ備えるようにする。
【符号の説明】
【００６１】
１…液晶テレビ、１０…本体筐体、１００…フロントカバー、１１０…開口部、１２０…枠体、１３０…スピーカ配置部、１３１…開口部、１３２…スピーカパネル、１３２ａ…放音穴、１３５…突起部、１３５ａ…突起部、１３５ｂ…突起部、１３５ｃ…突起部、１３６…第１の面、１３７…第２の面、１３７ａ…第２の面、１３７ｃ…第２の面、１３８…壁面、１３８ａ…壁面、１３８ｂ…壁面、１３８ｃ…壁面、１３８ｄ…壁面、１３９…空間、１４０…表示画面、１５０…内部空間、２００…バックカバー、３００…スピーカ部、４００…スタンド部、４１０…接続部、４２０…ベース部。
【図１】
2011193069.tif 000003
【図２】
2011193069.tif 000004
【図３】
2011193069.tif 000005
【図４】
2011193069.tif 000006
【図５】
2011193069.tif 000007
【図６】
2011193069.tif 000008